(57)【要約】      （修正有）【課題】前髪の生えぎわに違和感がなく、カツラの装着がわからないように改良を施したカツラを提供する。【解決手段】着用者の頭部に被冠される下向き皿状のネットシート本体３からなるベース２に、前記ネットシート本体３から着用者の生えぎわ部に臨んで、生えぎわシート１０を連設している。生えぎわシート１０に植毛された前髪の植毛密度Ｄ１は、前記ベース２に植毛された頭髪の植毛密度Ｄ２に対して、Ｄ１＜Ｄ２となるように構成され、前記生えぎわシート１０は、柔軟性と粘着性を有する透明又は半透明のフィルム状に形成されている。【選択図】図２
2008266877.tif 000002
【特許請求の範囲】
【請求項１】
着用者の頭部に被冠される下向き皿状のネットシート本体(3)からなるベース(2)に疑似毛からなる頭髪(1)を植毛したカツラにおいて、
着用者の少なくとも眉間の上方部位に位置する生えぎわ部(4)に臨むベース(2)の前部(3a)から該生えぎわ部(4)に向けて生えぎわシート(10)を連設し、該生えぎわシート(10)に前髪(1a)を植毛しており、
前記生えぎわシート(10)に植毛された前髪(1a)の植毛密度Ｄ１は、前記ベース(2)に植毛された頭髪(1b)の植毛密度Ｄ２に対して、Ｄ１＜Ｄ２となるように構成され、
前記生えぎわシート(10)は、柔軟性と粘着性を有する透明又は半透明のフィルム状に形成されて成ることを特徴とするカツラ。
【請求項２】
植毛密度が前髪(1a)から頭部の髪(1b)に向けて次第に疎から密となるように頭髪(1)を植毛して成ることを特徴とする請求項１に記載のカツラ。
【請求項３】
前記ネットシート本体(3)は、周縁部に非伸縮性の保形部(6)を設け、該ネットシート本体(3)の前記生えぎわ部(4)に臨む前部(3a)から頭髪の分け目(5)に対応する長窓部(9)を形成すると共に、前記保形部(6)を延長することにより長窓部(9)を縁取る延長縁部(6b)を形成しており、
前記生えぎわシート(10)を連続して一体に延長することにより前記長窓部(9)を被う分け目ベース(10a)を形成して成ることを特徴とする請求項１又は２に記載のカツラ。
【発明の詳細な説明】
【技術分野】
【０００１】
本発明は、カツラに関するものであり、特に、前髪の生えぎわに違和感がなく、カツラの装着がわからないように改良を施したものに関する。
【背景技術】
【０００２】
従来、種々のカツラが提供されており、本出願人においても提案したところであるが、近年は、着用者の頭部に残存する生存中の頭髪（地毛）と、カツラに植毛された頭髪（疑似毛、但し天然毛又は人工毛を問わない）とを混然一体化させるために、種々の工夫がなされている。
【０００３】
カツラの着用者は、通常、額の眉間の上方部分から頭頂部に向けて高く禿げ上がっているが、その両側には地毛が残存しており、地毛の生えぎわが概ねＭ形を描いている。
【０００４】
そこで、カツラの疑似毛は、着用者の残存する地毛との境界部分では、疑似毛と地毛が混然一体化するので、外部から見てもカツラの着用を識別できない。しかしながら、前述のように禿げ上がった眉間の上方部位においては、地毛が存在しないため、カツラの疑似毛により構成された前髪が独立状態で視認され、そのため、カツラベースのうち、前髪を植毛した部分をどのようにして目立たないようにするかが大きな課題となる。
【特許文献１】特開平９−２２８１２９公報
【特許文献２】特開２００４−１９７２６８公報
【特許文献３】特開２００４−２２８１２９公報
【発明の開示】
【発明が解決しようとする課題】
【０００５】
疑似毛からなる前髪の生えぎわ部分を目立たないように構成するためには、例えば、図７ないし図８に示すような比較例を考えることができる。
【０００６】
（第１比較例）
図７は、疑似毛からなる頭髪１を植毛したネットシート本体３からなるベース２の前縁部２ａに前髪１ａを植毛する際に、前髪１ａの毛根近傍部を前縁部２ａの内側（裏側）に植設した構成とされ、該前髪１ａを前縁部２ａに対して折返し、後向きに延びるように癖付けしている。従って、この比較例によれば、外部からベース２の前縁部２ａを視認し得ないように隠蔽できる利点がある。しかしながら、この場合、図示の矢印Ｘ１で示すような前髪１ａの折返し部が額に沿ってライン状に現われるので目立ち不自然なばかりか、前髪１ａの毛根近傍部が前縁部２ａの裏側に位置し、生えぎわが見えないため、自然の頭髪には到底見えないという問題がある。
【０００７】
（第２比較例）
そこで、図８は、ネットシート本体３からなるベース２の前縁部２ａの外側（表側）に前髪１ａを植毛している。これにより前髪１ａの生えぎわ部分が視認されるので、第１比較例で説明したような問題は解消される。しかしながら、前縁部２ａは、ベース２のネットシート本体３を延設したものであるため、これを肌色に着色することで着用者の皮膚と色調をあわせても、完璧な錯視効果（看者の肉眼による目の錯覚により、その存在が気づかないようにすることの意味である。以下同じ。）を期待できない。一般的に、ネット状のシートは、網目の大きさを粗くすると線条の太さが増すため網目が目立ち易いので、網目の大きさを細かくすることにより線条を細くすれば目立たないと考える傾向があるが、本発明者の知見によれば、網目を細かくすると、肌色に着色していても、光の反射により白く見えてしまい、錯視効果を奏し得ないからである。
【０００８】
更に、ベース２のネットシート本体３は、着用者の頭部にフィットさせる関係上、平織その他の編織シートからなり、ある程度の伸縮性を有する。従って、ベース２のネットシート本体３から延設したり、あるいは、その他の伸縮性を有する別体の網目シートをネットシート本体３に固着することにより前縁部２ａを形成した図８の比較例の場合には、カツラの着用によりベース２のネットシート本体３が伸長すると、前縁部２ａも同様に、図８（Ｂ）のネット形状から網目の変形を介して図８（Ｃ）に示すように伸長し、収縮力を蓄積する。このため、図８（Ａ）に矢印Ｘ２で示すように、額に沿って湾曲した前縁部２ａの収縮力が反転すると、前縁部２ａが着用者の額から捲れ上がり、額との間に隙間を生じるという致命的な問題を含んでいる。
【課題を解決するための手段】
【０００９】
本発明は、上記課題を解決したカツラを提供するものであり、その手段として構成したところは、着用者の頭部に被冠される下向き皿状のネットシート本体からなるベースに疑似毛からなる頭髪を植毛したカツラにおいて、着用者の少なくとも眉間の上方部位に位置する生えぎわ部に臨むベースの前部から該生えぎわ部に向けて生えぎわシートを連設し、該生えぎわシートに前髪を植毛しており、前記生えぎわシートに植毛された前髪の植毛密度Ｄ１は、前記ベースに植毛された頭髪の植毛密度Ｄ２に対して、Ｄ１＜Ｄ２となるように構成され、前記生えぎわシートは、柔軟性と粘着性を有する透明又は半透明のフィルム状に形成されて成る点にある。
【００１０】
この際、頭髪の植毛密度は、前髪から頭部の髪に向けて次第に疎から密となるように構成するのが好ましい。
【００１１】
本発明の好ましい実施形態において、前記ネットシート本体は、周縁部に非伸縮性の保形部を設け、該ネットシート本体の前記生えぎわ部に臨む前部から頭髪の分け目に対応する長窓部を形成している。そこで、前記保形部を延長することにより長窓部を縁取る延長縁部を形成し、前記生えぎわシートを連続して一体に延長することにより前記長窓部を被う分け目ベースを形成している。
【発明の効果】
【００１２】
本発明によれば、生えぎわシート１０が柔軟性と粘着性を有するフィルムを構成しているので、着用者の生えぎわ部４に好適に密着する。この際、生えぎわシート１０は、外部から前髪１ａの間を透視することにより視認可能であるが、透明又は半透明のため、密着状態で頭部の頭皮と一体化した外観を呈し、従って、識別不能であり、あたかも生えぎわシート１０が存在しないような錯視効果がある。
【００１３】
特に、本発明によれば、生えぎわシート１０に植毛された前髪１ａの植毛密度Ｄ１とベース２に植毛された頭髪１ｂの植毛密度Ｄ２をＤ１＜Ｄ２となるように構成し、好ましくは、頭髪１の植毛密度を前髪１ａから頭部の髪１ｂに向けて次第に疎から密となるように構成しているので、植毛密度が疎とされた前髪１ａの間から透明又は半透明の生えぎわシート１０を透して皮膚を透視したとき、生えぎわシート１０から起立する前髪１ａの毛根近傍部が本当の地毛の生えぎわを表しているような錯視効果がある。
【００１４】
そして、請求項３に記載の本発明によれば、ネットシート本体３は、周縁部に非伸縮性の保形部６を設けることにより球面状に保形されるように構成され、この際、該保形部６を延長することにより長窓部９を縁取る延長縁部６ｂを形成しているので、前記生えぎわシート１０を連続して一体に延長するだけで該長窓部９を被う分け目ベース１０ａを好適に形成することができる。そこで、外部から視認される分け目５と生えぎわ部４が一体のフィルム状シートとして着用者の皮膚に好適に密着すると共に皮膚を透視せしめるので、前述のような錯視硬化を向上するという効果がある。
【発明を実施するための最良の形態】
【００１５】
以下図面に基づいて本発明の好ましい実施形態を詳述する。
【００１６】
図１は、本発明に係るカツラの概略全体図を示し、カツラは、着用者の頭部に被冠される下向き皿状のネットシート本体３からなるベース２に疑似毛からなる頭髪１を植毛し、着用者の少なくとも眉間の上方部位に位置する生えぎわ部４に疑似毛からなる前髪１ａを植毛している。頭髪１は、その植毛密度を矢印Ｂで示すように、前髪１ａから頂部の髪１ｂに向けて、次第に疎から密となるように植設されるのが好ましい。即ち、前髪１ａは単位面積あたりの植毛本数が少なく、自然な生えぎわ状態を形成しており、従って、生えぎわシート１０に植毛された前髪１ａの植毛密度Ｄ１とベース２に植毛された頭髪１ｂの植毛密度Ｄ２をＤ１＜Ｄ２となるように構成されている。図示実施形態において、カツラは、前髪１ａを含む頭髪１を生えぎわ部４から後向きに延びる分け目５を構成するように植毛しているが、頭髪１を後向きに癖付けしたバックスタイルのカツラを構成しても良い。
【００１７】
この点に関し、本発明において「疑似毛」とは、着用者の頭部に残存する生存中の地毛に対する意味であり、天然毛又は人工毛を問わないことを諒解されたい。また、「生えぎわ部」とは、カツラの装着を必要としない通常の人体の頭部で地毛としての前髪が生えている部分のことであり、上述のようにカツラを必要とする着用者の額における地毛の生えぎわが概ねＭ形を描くように眉間の上方で禿げ上がった部分を意味している。従って、その幅寸法ｗは、少なくとも眉間の上方部位を含むが、禿げ上がった部分が幅広いときは、その幅広の部分を包含する意味であることを諒解されたい。更に、図示していないが、前述の「バックスタイル」とは、少なくとも前髪１ａの生えぎわを外部から視認できるように、前髪１ａを前下りでなく頭部の上部に向けて後向きに癖付けしたヘアースタイルを意味し、必ずしもオールバックに限定されないことを理解されたい。
【００１８】
（第１実施形態）
図２は、本発明の第１実施形態としてのカツラの内側（着用者の頭部に面する裏側）を示しており、ベース２を構成するネットシート本体３は、着用者の頭部の生えぎわ部４に臨む前部３ａから、着用者の地毛が残存する頭部両側に臨む両側部３ｂ、３ｂと、着用者の地毛が残存する後頭部に臨む後部３ｃを含んで底面視ほぼ楕円状で、着用者の頭部に沿うような球面状に形成されており、少なくとも、伸縮性と通気性を有している。この伸縮性は、顕著なものである必要はなく、僅かな伸縮性でも足りるが、要するに着用者の頭部にフィットできるものであれば良く、図１に示すように、ネットシート本体３には、外側に起立するように多数の髪１ｂが植設される。
【００１９】
ネットシート本体３の内側には、球面のほぼ中央部を残して、前部３ａ、両側部３ｂ、３ｂ、後部３ｃに沿う周縁部に非伸縮性の保形部６が形成されている。この保形部６は、図例の場合、ネットシート本体３の内側面にウレタン樹脂系やシリコン樹脂系等のエラストマーその他の合成樹脂液を塗布した後、硬化させることにより、適度の弾性を有するフィルム状又はシート状に形成されている。しかしながら、保形部６は、予めエラストマーシート又は別体の網目シートを裁断したものをネットシート本体３の内側面に接着又は溶着することにより形成しても良く、要するに、ネットシート本体３を球面状に保形すると共に、該保形部６の部分でネットシート本体３の伸縮性を阻害して非伸縮状態に保持するものであれば良い。尚、図例の場合、ベース２の球面状の頂部に位置するネットシート本体３の内側にも保形部６と同様の素材で同様の方法により形成されたシート層７が形成され、カツラを着用した際にベース２を頭部に固定するための接着テープ等の固定手段を設けることができるように構成されている。
【００２０】
ネットシート本体３の前部３ａに位置して設けられた前記保形部６のフロント部６ａには、生えぎわ部４に位置して、該フロント部６ａを含んでネットシート本体３を切欠した凹形部８が形成されている。また、前述のような分け目５を構成するため、前記フロント部６ａを含んでネットシート本体３を前記凹形部８の一部分から後方向に延びるように切欠した長窓部９が形成されている。尚、長窓部９を縁取るように保形部６の延長縁部６ｂが形成されている。
【００２１】
前記凹形部８及び長窓部９を被うように透明又は半透明のフィルム状の生えぎわシート１０が配置されており、該生えぎわシート１１は、フロント部６ａを含むネットシート本体３から前記生えぎわ部４に臨んで連設されており、生えぎわ部４に臨む前縁にほぼ波形状に連続して延びるように、それぞれ円弧状の凸部１１ａと凹部１１ｂを交互に配置した暖簾部１１が形成されている。また、凹形部８のみならず長窓部９を被うことにより、分け目ベース１０ａを連続して一体に延長形成する。このような生えぎわシート１１は、エラストマーの塗膜により形成され、該塗膜に前髪１ａの毛根部を埋設することにより植毛する。この際、エラストマー素材は、例えば、医用ゴムとして知られているポリウレタンやシリコンゴムが好ましく、その塗膜により形成された生えぎわシート１１は、柔軟性に優れると共に、人体の皮膚にかぶれ等を生じさせず適合性が高く、しかも、表面に微弱な粘着性を有しており皮膚に対する密着性に優れている。
【００２２】
図３は、生えぎわシート１０の第１実施例を示しており、ネットシート本体３の保形部６（フロント部６ａ）と生えぎわシート１０が一体的に形成されている。即ち、所定形状に裁断されたネットシート本体３に対して裏面（内面）側からエラストマーの樹脂液を塗布することにより延長部６ａを含む保形部６を形成し、その塗布と同時に、該樹脂液を保形部６からはみ出すように進展させることにより前記凹形部８と長窓部９を被うように生えぎわシート１０を形成する。塗膜は、完全に固化するまで暫くの時間を要するので、その間に前髪１ａの毛根部を埋設する。塗膜がフィルム状に固化することにより生えぎわシート１０が６成された後、前縁を波形状に裁断することにより暖簾部１１を形成する。
【００２３】
図４は、生えぎわシート１０の第１実施例を示しており、ネットシート本体３の裏面からエラストマーその他の樹脂液を塗布し又は別体のシートを重ねて接着もしくは溶着することにより保形部６を形成し、その後、保形部６を含んでネットシート本体３を所定形状に裁断することにより、前記凹形部８及び長窓部９を切欠形成する。その後、前記保形部６の表面（ベース２の裏面側ないし内面側）に重ねてエラストマーの樹脂液を塗布すると共に、塗布と同時に保形部６からはみ出すように進展させることにより前記凹形部８と長窓部９を被うように生えぎわシート１０を形成する。尚、第１実施例と同様に、塗膜が完全固化するまでの間に前髪１ａの毛根部を埋設し、フィルム状に固化した後、生えぎわシート１０の前縁を波形状に裁断することにより暖簾部１１を形成する。
【００２４】
図５は、生えぎわシート１０の第２実施例を示しており、ネットシート本体３の裏面からエラストマーその他の樹脂液を塗布し又は別体のシートを重ねて接着もしくは溶着することにより保形部６を形成し、その後、保形部６を含んでネットシート本体３を所定形状に裁断することにより、前記凹形部８及び長窓部９を切欠形成する。その後、前記保形部６に連なるようにエラストマーの樹脂液を塗布すると共に進展させることにより前記凹形部８と長窓部９を被うように生えぎわシート１０を形成する。尚、第１実施例と同様に、塗膜が完全固化するまでの間に前髪１ａの毛根部を埋設し、フィルム状に固化した後、生えぎわシート１０の前縁を波形状に裁断することにより暖簾部１１を形成する。
【００２５】
（第２実施形態）
図６は、本発明の第２実施形態としてのカツラの内側（着用者の頭部に面する裏側）を示している。ベース２を構成するネットシート本体３は、着用者の頭部の生えぎわ部４に臨む前部３ａ、着用者の地毛が残存する頭部両側に臨む両側部３ｂ、３ｂ、着用者の地毛が残存する後頭部に臨む後部３ｃのそれぞれに沿って延びる保形部６を形成しており、この点は、上述した第１実施形態と同様である。
【００２６】
ネットシート本体３の前部３ａには、保形部６のフロント部６ａを含んでネットシート本体３を後方向に延びるように切欠した長窓部９が形成されている。尚、長窓部９を縁取るように保形部６の延長縁部６ｂが形成されている。
【００２７】
生えぎわシート１０は、フロント部６ａを含むネットシート本体３から前記生えぎわ部４に臨んで連設されており、生えぎわ部４に臨む前縁にほぼ波形状に連続して延びるように、それぞれ円弧状の凸部１１ａと凹部１１ｂを交互に配置した暖簾部１１が形成されている。また、同時に長窓部９を被うことにより、分け目ベース１０ａを連続して一体に形成する。図示のように、生えぎわシート１０は、図２に示した第１実施形態の場合よりも、生えぎわ部４に臨んで大きく進展するように形成されている。その他の構成は、上記第１実施形態と同様であるので、上述した説明を援用する。
【００２８】
カツラを着用者の頭部に装着するに際しては、ベース２を頭部に被冠せしめると共に、保形部６を利用して頭部に固定する。例えば、両面接着テープにより保形部６の任意の個所を頭部の頭皮に接着したり、クリップその他の治具により保形部６の任意の個所を頭部に残存する地毛に固着すれば良い。
【００２９】
カツラ着用状態において、生えぎわシート１０がエラストマーの塗膜により形成されたフィルムを構成しているので、着用者の生えぎわ部４に好適に密着する。この際、前髪１ｂは、密度を疎として植毛されているので、外部から前髪１ｂの間を透視して生えぎわシート１０を視認することが可能であるが、透明又は半透明のため、密着状態で頭部の頭皮と一体化した外観を呈し、従って、識別不能であり、あたかも生えぎわシート１０が存在しておらず、生えぎわシート１０から起立する前髪１ｂの毛根近傍部が本当の地毛の生えぎわを表しているような錯視効果がある。
【００３０】
特に、生えぎわシート１０は、生えぎわ部４に臨む前縁にほぼ波形状に連続して延びるように凸部１１ａと凹部１１ｂを交互に配置した暖簾部１１を形成しているので、着用者の生えぎわ部４の皮膚に好適に密着する。
【００３１】
この点に関して、カツラは、着用時、ネットシート本体３が伸縮等を介して着用者の頭部に適合され、保形部６が頭部に固着される。殊に、ネットシート本体３の両側部３ｂ、３ｂは、着用者の残存する地毛に混然一体化せしめるため下方に強く引っ張られた状態で固定される。従って、ベース２の全体が張力を受け、下向き皿状に形成されたベース２の周縁の周方向に関して生えぎわシート１０の両端を引っ張る方向に張力を生じる。この点について、生えぎわシート１０は、僅かながら弾性を有するので伸長傾向を示し、暖簾部１１を僅かに伸長する。この張力は、暖簾部１１の部分では直線的方向ではなく、交互に配置された凸部１１ａと凹部１１ｂの円弧縁に沿って多方向に分散される。即ち、サイン波形を表して連続する波形の振幅（凸と凹の差）を減じるように暖簾部１１が伸長されるので、着用者の額に食い込んだり、あるいは収縮力を反転することにより捲れ上がるようなことはなく、着用者の皮膚に極めて良好に密着する。
【００３２】
そして、エラストマーの塗膜により形成された透明又は半透明の生えぎわシート１０を延長することにより分け目ベース１０ａを形成しているので、外部から視認される分け目５と生えぎわ部４が一体のフィルム状シートとして着用者の皮膚に好適に密着し、皮膚を透視せしめるので、前述のような錯視効果を向上する。
【図面の簡単な説明】
【００３３】
【図１】本発明の実施形態を示す斜視図である。
【図２】本発明の第１実施形態を内側から示す底面図である。
【図３】生えぎわシートの第１実施例を示す断面図である。
【図４】生えぎわシートの第２実施例を示す断面図である。
【図５】生えぎわシートの第３実施例を示す断面図である。
【図６】本発明の第２実施形態を内側から示す底面図である。
【図７】本発明に対する第１比較例を示す説明図である。
【図８】本発明に対する第２比較例を示す説明図である。
【符号の説明】
【００３４】
１ 頭髪
１ａ 前髪
２ ベース
３ ネットシート本体
３ａ 前部
３ｂ 両側部
３ｃ 後部
４ 生えぎわ部
５ 保形部
９ 長窓部
１０ 生えぎわシート
１０ａ 分け目ベース
１１ 暖簾部
１１ａ 凸部
１１ｂ 凹部
【図１】
2008266877.tif 000003
【図２】
2008266877.tif 000004
【図３】
2008266877.tif 000005
【図４】
2008266877.tif 000006
【図５】
2008266877.tif 000007
【図６】
2008266877.tif 000008
【図７】
2008266877.tif 000009
【図８】
2008266877.tif 000010